(57)【要約】 【課題】各種製品の梱包・輸送などに用いる箱体やシート体などの他の資材とともに使用される輸送用紙材であって、それら他の資材と別々に輸送や保管して省スペース化を図ることができ、コストの低減が可能な輸送用紙材を提供すること。【解決手段】本発明の輸送用紙材１０は、積層構造紙材１２やハニカム構造紙材２０などの紙材の少なくとも一つの面に、防滑剤１４または接着剤１５が塗着されている。防滑剤１４または接着剤１５は、一様に塗着されていても良く、線状や格子状、波状、点状などの形状で塗着されていても良い。また、輸送用紙材１０には、防滑剤１４と接着剤１５の両方が塗着されていても良い。例えば、輸送用紙材１０の上面に防滑剤１４が塗着され、側面に接着剤１５が塗着されていても良い。そして、輸送用紙材１０は、輸送物を梱包・輸送する際の緩衝材やパレットの天板として用いることができる。【選択図】図１
2010036945.tif 000002
【特許請求の範囲】
【請求項１】
紙材の少なくとも一つの面の一部または全部に防滑剤または接着剤が塗着されていることを特徴とする輸送用紙材。
【請求項２】
前記紙材は、波状に形成された芯材とライナとが積層されてなる積層構造紙材、または、帯状紙を複数枚重ね合わせて配置し隣り合う帯状紙をそれぞれ部分的に接着固定して引き伸ばすことにより多数の開口部によってハニカム構造が形成されてなるハニカム構造紙材よりなることを特徴とする請求項１に記載の輸送用紙材。
【請求項３】
輸送物を梱包・輸送する際の緩衝材、もしくは、パレットの天板として用いることを特徴とする請求項１または２に記載の輸送用紙材。
【発明の詳細な説明】
【技術分野】
【０００１】
本発明は、輸送用紙材に関し、さらに詳しくは、輸送物を梱包・輸送する際の緩衝材やパレットの天板等として好適に用いられる輸送用紙材に関するものである。
【背景技術】
【０００２】
従来、精密機器や機械、電気製品などの各種製品を梱包・輸送する際に、外部からの衝撃や振動等を吸収して製品を保護するために、緩衝材が用いられている。この種の緩衝材としては、発泡スチロール等の発泡プラスチックが広く用いられてきたが、最近では、環境負荷が少なく、リサイクル性にも優れる輸送用紙材が、発泡プラスチックに代わるものとして期待されている。
【０００３】
例えば、特許文献１には、波状板紙からなる芯材と平板紙からなるライナとを交互に複数積層状に貼合わせて形成された緩衝材用の輸送用紙材が開示されている。
【０００４】
【特許文献１】実用新案登録第３０３４１２５号公報
【発明の開示】
【発明が解決しようとする課題】
【０００５】
緩衝材用の輸送用紙材は、段ボール箱などの箱体などに各種製品を収納する際、箱体と製品との隙間に配置され、外部からの振動や衝撃等を吸収して、輸送される各種製品の角部や辺を保護するために用いられる。このような緩衝材用の輸送用紙材は、梱包・輸送される各種製品の形状にあわせて、あらかじめ各種製品を収納する箱体内や製品を載置・輸送するためのシート体上などに取付された状態で納品されていた。そして、納品先で緩衝材が取付された箱体内等に製品を梱包する作業が行われる。
【０００６】
しかしながら、緩衝材用の輸送用紙材が箱体内やシート体上などにあらかじめ取付された状態では、より多くのスペースが必要であるため、出荷時の輸送コストが高くなり、また、保管コストも高くなるといった問題があった。
【０００７】
本発明の解決しようとする課題は、各種製品の梱包・輸送などに用いる箱体やシート体などの他の資材とともに使用される輸送用紙材であって、それら他の資材と別々に輸送や保管して省スペース化を図ることができ、コストの低減が可能な輸送用紙材を提供することにある。
【課題を解決するための手段】
【０００８】
上記課題を解決するため、本発明に係る輸送用紙材は、紙材の少なくとも一つの面の一部または全部に防滑剤または接着剤が塗着されていることを要旨とするものである。
【０００９】
ここで、上記紙材は、波状に形成された芯材とライナとが積層されてなる積層構造紙材、または、帯状紙を複数枚重ね合わせて配置し隣り合うクラフト紙をそれぞれ部分的に接着固定して引き伸ばすことにより多数の開口部によってハニカム構造が形成されてなるハニカム構造紙材よりなると良い。
【００１０】
そして、本発明の輸送用紙材を、輸送物を梱包・輸送する際の緩衝材、もしくは、パレットの天板として用いると良い。
【発明の効果】
【００１１】
本発明に係る輸送用紙材は、紙材の少なくとも一つの面の一部または全部に防滑剤または接着剤が塗着されている。そのため、納品先等で、必要なときに必要な分だけ、輸送用紙材を、段ボール箱などの箱体やシート体などの他の資材とともに使用することができる。したがって、輸送用紙材と他の資材とを別々に輸送や保管することができるため、輸送時や保管時の省スペース化を図ることが可能であり、コストを削減することができる。
【００１２】
このとき、上記紙材が、波状に形成された芯材とライナとが積層されてなる積層構造紙材、または、帯状紙を複数枚重ね合わせて配置し隣り合うクラフト紙をそれぞれ部分的に接着固定して引き伸ばすことにより多数の開口部によってハニカム構造が形成されてなるハニカム構造紙材よりなれば、緩衝性に優れるため、外部からの振動や衝撃等を吸収することができ、輸送物の角部や辺を保護することができる。
【００１３】
さらに、上記輸送用紙材を、輸送物を梱包・輸送する際の緩衝材もしくは、パレットの天板として用いれば、それらほかの資材に輸送用紙材を載置するなどして簡易に使用することができ、コストをより削減することができる。
【発明を実施するための最良の形態】
【００１４】
以下、本発明の一実施形態について詳細に説明する。
【００１５】
本発明に係る輸送用資材は、紙材の少なくとも一つの面の一部または全部に防滑剤または接着剤が塗着されてなる。例えば、図１は、本発明の一実施形態を示した図であり、輸送用紙材１０は、積層構造紙材１２の表面（上面、下面、側面など）上に、防滑剤１４（または接着剤１５）が塗着され構成されている。
【００１６】
この積層構造紙材１２としては、例えば図２に示すように、波状に形成された芯材１６と、ライナ１８とを交互に積層して貼着されたものを用いることができる。積層構造紙材１２の最上層および最下層には、ライナ１８が貼着されていても良い。
【００１７】
また、例えば、波の高さ（振幅）および幅（波長）が１種類のみの芯材１６を用いて形成された積層構造紙材１２を用いることもできるし、波の高さおよび幅がそれぞれ異なる複数の芯材１６を用いて形成された積層構造紙材１２を用いることもできる。そして、ライナ１８の厚みは、芯材１６の厚さや強度などに合わせて適宜変更することができる。さらに、芯材１６とライナ１８の積層数は、用途に応じて適宜変更することができる。例えば、一枚のライナ１８に芯材１６を貼着した片面段ボールや、片面段ボールの芯材１６の波の先端部にライナ１８を貼着した両面段ボール、両面段ボールの片側に片面段ボールの芯材１６の波の先端部を貼着した複両面段ボール、複両面段ボールの片側に、片面段ボールの芯材１６の波の先端部を貼着した複々両面段ボールなどを積層構造紙材１２として用いることもできる。
【００１８】
そして、本発明の輸送用紙材１０は、ハニカム構造紙材の表面上に防滑剤１４（または接着剤１５）が塗着されてなるものでも良い。例えば、図３に示すように、ハニカム構造紙材２０は、帯状紙２２を複数枚重ね合わせて配置し、隣り合う帯状紙２２をそれぞれ部分的に接着固定して引き伸ばすことにより、多数の開口部２４によってハニカム構造が形成されたものを用いることができる。この帯状紙２２の重ね枚数および帯幅は、用途や要求される仕様に応じて適宜変更することができる。
【００１９】
開口部２４の大きさは、帯状紙２２がそれぞれ接着固定される位置を調整することにより、適宜変更することができる。また、帯状紙２２の厚さは、要求される強度などに合わせて適宜変更することができる。
【００２０】
本発明の輸送用紙材１０は、上記図２の積層構造紙材１２、または、図３のハニカム構造紙材２０からなれば、外部からの衝撃や振動を十分に吸収することができる。
【００２１】
防滑剤１４（または接着剤１５）は、例えば、図１に示したように、積層構造紙材１２の表面上に、一様に塗着されていても良い。また、図４（ａ）〜（ｄ）に示されるように、防滑剤１４（または接着剤１５）が線状や格子状、波状、点状などの形状で積層構造紙材１２の表面上に塗着されていても良い。この場合、用いる防滑剤１４（または接着剤１５）の量を減らすことができ、コストを削減することができる。
【００２２】
輸送用紙材１０に用いられる紙材の形状は、上記に示した積層構造紙材１２もしくはハニカム構造紙材２０に特に限定されず、例えばシート状や板状の紙材を用いることもできる。この場合、箱体内やシート体上に貼付して用いることができる。
【００２３】
さらに、輸送用紙材１０は、表面に防滑剤１４（または接着剤１５）が塗着されたシート状や板状の紙材を、積層構造紙材１２、または、ハニカム構造紙材２０に貼付して形成されていても良い。
【００２４】
また、輸送用紙材１０には、防滑剤１４と接着剤１５の両方が塗着されていても良い。例えば、輸送用紙材１０の上面に防滑剤１４が塗着され、側面に接着剤１５が塗着されていても良い。
【００２５】
紙材としては、例えば、クラフトパルプや古紙などを原料として用いることができるが、特にこれに限定されるものではない。また、紙材には、凹凸形状が付与されていても良い。
【００２６】
防滑剤１４としては、例えば、輸送用紙材１０を箱体やシート体などに載置した際に、箱体やシート体を傾けても剥がれ落ちない程度の防滑力を有するものであれば良く、例えば、ニス、ゴムなどを用いることができるが、特にこれに限定されない。
【００２７】
接着剤１５としては、例えば、輸送用紙材１０を箱体やシート体などに添着した際に、外部からの衝撃や振動等が加わっても箱体やシート体からずれない程度の接着力を有するものであって、使用時に水などの水分を塗布もしくは吹きつけることにより接着性が付与されるものが好ましく、ポリビニルアルコール系樹脂やデキストリン糊などを例示することができる。このような接着剤１５が輸送用紙材１０に塗着されていれば、接着剤１５が塗着されている面に輸送時や保管時に埃などが付着したり、接着剤１５が塗着されている面が他の部分に引っ付いたりするのを防ぐための剥離紙を貼付する必要がなく、コストや手間を減らすことができる。
【００２８】
防滑剤１４または接着剤１５は、輸送物の大きさや重さなどに合わせて、適宜選択して用いることができる。
【００２９】
本発明に係る輸送用紙材１０は、例えば、輸送物を段ボール箱などの箱体などに収納する際に箱体と輸送物との隙間に配置したり、輸送物をシート体に載置して輸送する際に輸送物を固定したりして、輸送物の角部や辺を保護するための緩衝材として用いることができる。例えば、図５に示すように、防滑剤１４（または接着剤１５）が塗着されている面を段ボール箱２６などの箱体の内側に配置して使用することができる。また、図６に示すように、輸送物を載置するためのシート体２８上に配置して使用することができる。
【００３０】
また、本発明に係る輸送用紙材１０は、製品が梱包された段ボール箱などを運搬する時に用いられるパレットの天板などにも用いることができる。例えば、図７に示すように、輸送用紙材１０の防滑剤１４（または接着剤１５）が塗着されている面が上面になるように、輸送用紙材１０と桁材３０とを固定してパレット３２の天板として使用することができる。
【００３１】
このように、本発明に係る輸送用紙材１０を、輸送物を梱包・輸送する際の緩衝材もしくは、パレット３２の天板等として用いれば、輸送用紙材１０と、段ボール箱２６やシート体２８、桁材３０やパレット３２の底板などの他の資材とを別々に輸送や保管することができるため、輸送時や保管時の省スペース化を図ることが可能であり、コストを削減することができる。また、防滑剤１４（または接着剤１５）があらかじめ輸送用紙材１０に塗着されているので、客先で簡易に使用することができる。
【００３２】
次に、本発明の輸送用紙材１０の製造方法の一例を説明する。まず、紙材としては、例えば、積層構造紙材１２やハニカム構造紙材２０を準備する。積層構造紙材１２は、例えば、ライナ１８に波状に形成した芯材１６を貼着し、その芯材１６の上にさらにライナ１８を貼着する。この貼着工程を所定回数繰り返すことにより、所望の厚さの積層構造紙材１０を製造することができる。また、ハニカム構造紙材２０は、一般的な方法を用いて製造することができる。
【００３３】
そして、積層構造紙材１２やハニカム構造紙材２０などの紙材を所定の形状に切断加工した後、防滑剤１４（または接着剤１５）を塗着して輸送用紙材１０を製造することができる。このように、切断加工した後に防滑剤１４（または接着剤１５）を塗着すれば、切断加工するカッターや鋸の刃の汚れを抑えることができる。
【００３４】
また、積層構造紙材１２やハニカム構造紙材２０などの紙材に防滑剤１４（または接着剤１５）を塗着した後に、所定の形状に切断加工して輸送用紙材１０を製造することもできる。この場合は、積層構造紙材１２やハニカム構造紙材２０などの紙材に、防滑剤１４（または接着剤１５）を、より塗着し易くなる。防滑剤１４（または接着剤１５）は、例えば、吹き付けにより塗着することもできるし、ロールや刷毛を用いて塗布により塗着することもできる。
【００３５】
以上、本発明の各種の実施形態について詳細に説明したが、本発明は上記実施の形態に何ら限定されるものではなく、本発明の要旨を逸脱しない範囲で種々の改変が可能である。
【図面の簡単な説明】
【００３６】
【図１】本発明の一実施形態に係る輸送用紙材を示す斜視図である。
【図２】本発明の輸送用紙材に用いられる積層構造紙材の斜視図である。
【図３】本発明の輸送用紙材に用いられるハニカム構造紙材の斜視図である。
【図４】本発明の他の実施形態に係る輸送用紙材を示す斜視図である。
【図５】本発明の一実施形態に係る輸送用紙材を、箱体内に配置して緩衝材として用いたときの斜視図である。
【図６】本発明の一実施形態に係る輸送用紙材を、シート体上に配置して緩衝材として用いたときの斜視図である。
【図７】本発明の一実施形態に係る輸送用紙材を、パレットの天板として用いたときの斜視図である。
【符号の説明】
【００３７】
１０・・・輸送用紙材
１２・・・積層構造紙材
１４・・・防滑剤
１５・・・接着剤
１６・・・芯材
１８・・・ライナ
２０・・・ハニカム構造紙材
２２・・・帯状紙
２４・・・開口部
２６・・・段ボール箱
２８・・・シート体
３０・・・桁材
３２・・・パレット
【図１】
2010036945.tif 000003
【図２】
2010036945.tif 000004
【図３】
2010036945.tif 000005
【図４】
2010036945.tif 000006
【図５】
2010036945.tif 000007
【図６】
2010036945.tif 000008
【図７】
2010036945.tif 000009